(57)【要約】【課題】  各本体の表裏関係を一定にしたまま折り畳むことができる携帯電話１において、実行するアプリケーションプログラムを変える。【解決手段】  情報処理を行なう携帯電話１であって、第一本体と、第二本体と、第一本体および第二本体を、各々の表裏関係が一定の状態で回転できるように接続する回転軸と、（１）第一本体が第二本体に対して左または右のいずれに回転するか、および（２）第一本体が第二本体に対して０°または１８０°のいずれに位置するか、を検出する回転検出部１２と、回転検出部１２の検出結果に基づき、情報処理を遂行させる情報処理制御部２０とを備える。【選択図】  図４
2005236684.tif 000002
【特許請求の範囲】
【請求項１】
情報処理を行なう携帯通信端末であって、
第一本体と、
第二本体と、
前記第一本体および前記第二本体を、各々の表裏関係が一定の状態で回転できるように接続する接続手段と、
（１）前記第一本体が前記第二本体に対して左または右のいずれに回転するか、および
（２）前記第一本体が前記第二本体に対して０°または１８０°のいずれに位置するか、を検出する回転検出手段と、
前記回転検出手段の検出結果に基づき、情報処理を遂行させる情報処理制御手段と、
を備えた携帯通信端末。
【請求項２】
請求項１に記載の携帯通信端末であって、
前記第一本体の前記第二本体に対する角度が、０°から１８０°へ、または１８０°から０°へ変化した後に、前記情報処理制御手段が遂行させる前記情報処理の内容が変化する、
携帯通信端末。
【請求項３】
情報処理を行なう携帯通信端末であって、
第一本体と、
第二本体と、
前記第一本体および前記第二本体を、各々の表裏関係が一定の状態で回転できるように接続する接続手段と、
（１）前記第一本体が前記第二本体に対して左に所定の角度回転してから元に戻る、および（２）前記第一本体が前記第二本体に対して右に所定の角度回転してから元に戻る、ことを検出する回転検出手段と、
前記回転検出手段の検出結果に基づき、情報処理を遂行させる情報処理制御手段と、
を備えた携帯通信端末。
【請求項４】
請求項３に記載の携帯通信端末であって、
前記情報処理制御手段は、前記回転検出手段の検出結果に基づき、受信の際の音量を調整する、
携帯通信端末。
【請求項５】
請求項１ないし４に記載の携帯通信端末であって、
前記回転検出手段は、
前記第一本体の回転に伴って回転し、磁気を帯びた回転板と、
前記回転板の磁気を検出する磁気検出器と、
を有する、
携帯通信端末。
【請求項６】
請求項５に記載の携帯通信端末であって、
前記回転検出手段は、複数の磁気検出器を有し、
前記回転板の回転軸と前記磁気検出器とを結ぶ線分のなす角度が１８０°未満である、
携帯通信端末。
【請求項７】
請求項１ないし４に記載の携帯通信端末であって、
前記回転検出手段は、
前記第一本体が前記第二本体に対して０°または１８０°のいずれかに位置した場合に、それ以外の状態とは異なる信号を出力するものである、
携帯通信端末。
【請求項８】
請求項１ないし４に記載の携帯通信端末であって、
前記回転検出手段は、
前記第一本体が前記第二本体に対して０°または１８０°のいずれかに位置した場合に、前記第一本体が前記第二本体に対して左または右のいずれに回転したかによって、異なる信号を出力するものである、
携帯通信端末。
【請求項９】
情報処理を行なう携帯通信端末であって、第一本体と、第二本体と、前記第一本体および前記第二本体を、各々の表裏関係が一定の状態で回転できるように接続する接続手段とを有する携帯通信端末における処理をコンピュータに実行させるためのプログラムであって、
（１）前記第一本体が前記第二本体に対して左または右のいずれに回転するか、および
（２）前記第一本体が前記第二本体に対して０°または１８０°のいずれに位置するか、を検出する回転検出処理と、
前記回転検出処理の検出結果に基づき、情報処理を遂行させる情報処理制御処理と、
をコンピュータに実行させるためのプログラム。
【請求項１０】
情報処理を行なう携帯通信端末であって、第一本体と、第二本体と、前記第一本体および前記第二本体を、各々の表裏関係が一定の状態で回転できるように接続する接続手段とを有する携帯通信端末における処理をコンピュータに実行させるためのプログラムであって、
（１）前記第一本体が前記第二本体に対して左に所定の角度回転してから元に戻る、および（２）前記第一本体が前記第二本体に対して右に所定の角度回転してから元に戻る、ことを検出する回転検出処理と、
前記回転検出処理の検出結果に基づき、情報処理を遂行させる情報処理制御処理と、
をコンピュータに実行させるためのプログラム。
【請求項１１】
情報処理を行なう携帯通信端末であって、第一本体と、第二本体と、前記第一本体および前記第二本体を、各々の表裏関係が一定の状態で回転できるように接続する接続手段とを有する携帯通信端末における処理をコンピュータに実行させるためのプログラムを記録したコンピュータによって読み取り可能な記録媒体であって、
（１）前記第一本体が前記第二本体に対して左または右のいずれに回転するか、および
（２）前記第一本体が前記第二本体に対して０°または１８０°のいずれに位置するか、を検出する回転検出処理と、
前記回転検出処理の検出結果に基づき、情報処理を遂行させる情報処理制御処理と、
をコンピュータに実行させるためのプログラムを記録したコンピュータによって読み取り可能な記録媒体。
【請求項１２】
情報処理を行なう携帯通信端末であって、第一本体と、第二本体と、前記第一本体および前記第二本体を、各々の表裏関係が一定の状態で回転できるように接続する接続手段とを有する携帯通信端末における処理をコンピュータに実行させるためのプログラムを記録したコンピュータによって読み取り可能な記録媒体であって、
（１）前記第一本体が前記第二本体に対して左に所定の角度回転してから元に戻る、および（２）前記第一本体が前記第二本体に対して右に所定の角度回転してから元に戻る、ことを検出する回転検出処理と、
前記回転検出処理の検出結果に基づき、情報処理を遂行させる情報処理制御処理と、
をコンピュータに実行させるためのプログラムを記録したコンピュータによって読み取り可能な記録媒体。
【発明の詳細な説明】
【技術分野】
【０００１】
本発明は、各本体の表裏関係を一定にしたまま折り畳むことができる携帯通信端末に関する。
【背景技術】
【０００２】
従来より、携帯通信端末の一種である折り畳み式の携帯電話が用いられている。このような携帯電話においては、各本体の表裏関係を一定にしたまま折り畳むことができるものがある。さらに、このような携帯電話においては、アプリケーションプログラムを実行して情報処理を行なうものがある。しかも、このような携帯電話においては、さらに各本体の角度（０°、９０°、１８０°）に応じて、実行するアプリケーションプログラムを変えるものがある（例えば、特許文献１の図１、図３および図４参照）。
【０００３】
【特許文献１】特開２００３−８６９５号公報
【発明の開示】
【発明が解決しようとする課題】
【０００４】
しかしながら、上記のような携帯電話においては、ある本体が他の本体に対してどのような方向に回転したかに応じて、実行するアプリケーションプログラムを変えることができない。
【０００５】
そこで、本発明は、各本体の表裏関係を一定にしたまま折り畳むことができる携帯通信端末において、各本体間の回転方向に応じて、実行するアプリケーションプログラムを変えることを課題とする。
【課題を解決するための手段】
【０００６】
本発明は携帯通信端末に関する。本発明に係る携帯通信端末は、第一本体、第二本体、接続手段、回転検出手段、情報処理制御手段を備える。
【０００７】
接続手段は、第一本体および第二本体を、各々の表裏関係が一定の状態で回転できるように接続する。回転検出手段は、（１）第一本体が第二本体に対して左または右のいずれに回転するか、および、（２）第一本体が第二本体に対して０°または１８０°のいずれに位置するか、を検出する。情報処理制御手段は、回転検出手段の検出結果に基づき、情報処理を遂行させる。
【０００８】
なお、本発明においては、第一本体の第二本体に対する角度が、０°から１８０°へ、または１８０°から０°へ変化した後に、情報処理制御手段が遂行させる情報処理の内容が変化するようにすることが好ましい。
【０００９】
あるいは、本発明に係る携帯通信端末は、第一本体、第二本体、接続手段、回転検出手段、情報処理制御手段を備える。
【００１０】
接続手段は、第一本体および第二本体を、各々の表裏関係が一定の状態で回転できるように接続する。回転検出手段は、（１）第一本体が第二本体に対して左に所定の角度回転してから元に戻る、および（２）第一本体が第二本体に対して右に所定の角度回転してから元に戻る、ことを検出する。情報処理制御手段は、回転検出手段の検出結果に基づき、情報処理を遂行させる。
【００１１】
この際、情報処理制御手段は、回転検出手段の検出結果に基づき、受信の際の音量を調整することが好ましい。
【００１２】
なお、本発明においては、回転検出手段は、回転板、磁気検出器を有するようにしてもよい。回転板は、第一本体の回転に伴って回転し、磁気を帯びている。磁気検出器は、回転板の磁気を検出する。
【００１３】
この際、回転検出手段は、複数の磁気検出器を有し、回転板の回転軸と磁気検出器とを結ぶ線分のなす角度が１８０°未満であるようにすることが好ましい。
【００１４】
また、本発明においては、回転検出手段は、第一本体が第二本体に対して０°または１８０°のいずれかに位置した場合に、それ以外の状態とは異なる信号を出力するものであるようにしてもよい。
【００１５】
あるいは、本発明においては、回転検出手段は、第一本体が第二本体に対して０°または１８０°のいずれかに位置した場合に、第一本体が第二本体に対して左または右のいずれに回転したかによって、異なる信号を出力するものであるようにしてもよい。
【発明を実施するための最良の形態】
【００１６】
以下、本発明の実施形態を図面を参照しながら説明する。
【００１７】
第一の実施形態
図１は、第一の実施形態にかかる携帯電話（携帯通信端末）１を開いた場合の平面図である。図２は、第一の実施形態にかかる携帯電話（携帯通信端末）１を閉じた場合の平面図である。図３は、第一の実施形態にかかる携帯電話（携帯通信端末）１を閉じた場合の正面図である。
【００１８】
第一の実施形態にかかる携帯電話１は、第一本体１００、第二本体２００、回転軸（接続手段）３１０、磁気センサ３１２ａ、３１２ｂ、回転板３２０を備える。
【００１９】
第一本体１００は、表面にディスプレイ１２０を有する。ディスプレイ１２０は、携帯電話１による情報処理の結果などを表示する。これにより、電話番号などを表示できる。
【００２０】
第二本体２００は、その表面に入力用キー２１０を有する。入力用キー２１０は、携帯電話１に情報を入力するためのものである。例えば、いわゆるテンキーなどである。これにより、電話番号などを入力できる。
【００２１】
回転軸（接続手段）３１０は、第一本体１００および第二本体２００を回転できるように接続する。具体的には、第一本体１００を回転軸３１０を中心にして、左回りあるいは右回りに回すことができる。なお、第一本体１００を回転軸３１０を中心にして回転させても、第一本体１００および第二本体２００は裏返ったりしない。例えば、ディスプレイ１２０は、第一本体１００を回転させても表側に位置したままである（図１、２参照）。すなわち、回転軸３１０は、回転の際に第一本体１００および第二本体２００の表裏関係が一定に保たれるようにしている。
【００２２】
回転軸３１０は、図３に示すように、部分的に第一本体１００および第二本体２００に埋めこまれている。
【００２３】
磁気センサ３１２ａ、３１２ｂは、回転板３２０の回転を検出するための磁気センサである。図３を参照して、磁気センサ３１２ａ、３１２ｂは、第二本体２００に固定されている。回転板３２０は、第一本体１００に固定されている。第一本体１００が回転軸３１０を中心に回転すれば、回転板３２０もまた回転軸３１０を中心に回転する。回転板３２０の表面には磁性を帯びたエリア（領域）があり、回転板３２０の回転により、磁気センサ３１２ａ、３１２ｂが検出する回転板３２０の磁気が変化する。これにより、回転板３２０の回転を検出できる。
【００２４】
図４は、第一の実施形態にかかる携帯電話１の構成を示す機能ブロック図である。携帯電話１は、磁気センサ３１２ａ、３１２ｂ、回転検出部１２、情報処理制御部２０、入力用キー２１０、ディスプレイ１２０、情報処理部３０を備える。携帯電話１はインターネット２に接続されている。
【００２５】
磁気センサ３１２ａ、３１２ｂ、入力用キー２１０、ディスプレイ１２０は、先に説明した通りである。
【００２６】
回転検出部１２は、磁気センサ３１２ａ、３１２ｂから回転板３２０の回転に関する信号（（１）第一本体１００が第二本体２００に対して左または右のいずれに回転するか、（２）第一本体１００が第二本体２００に対して０°（携帯電話１を閉じた場合）または１８０°（携帯電話１を開いた場合）のいずれに位置するか、を示す）を受けることにより、第一本体１００および第二本体２００の間の相対的な回転を検出する。検出を行なうと信号（上記の（１）、（２）の状態を示す）を出力する。
【００２７】
情報処理制御部２０は、回転検出部１２から信号を受けると、それに基づき、情報処理部３０に情報処理を遂行させる。
【００２８】
情報処理部３０は、情報処理制御部２０から遂行を指示された情報処理を遂行する。図５は、第一の実施形態にかかる情報処理部３０の構成を示す機能ブロック図である。情報処理部３０は、メール通信部３０ａ、入力電話番号表示指示部３０ｂ、待ち受け表示画面表示指示部３０ｃ、カメラ部３０ｄを有する。なお、情報処理部３０は、入力用キー２１０による情報の入力を受け、情報処理の結果をディスプレイ１２０に表示させる。
【００２９】
メール通信部３０ａは、インターネット２を介して、電子メールの送受信を行なう。
【００３０】
入力電話番号表示指示部３０ｂは、入力用キー２１０により入力された電話番号をディスプレイ１２０に表示させる。
【００３１】
待ち受け表示画面表示指示部３０ｃは、待ち受け表示画面をディスプレイ１２０に表示させる。なお、待ち受け表示画面は、携帯電話１が入力を待機している状態であることを示す画面である。
【００３２】
カメラ部３０ｄは、デジタルカメラとしての機能を果たす部分である。携帯電話にデジタルカメラとしての機能をもたせたものは周知であるため、詳細な説明は省略する。
【００３３】
なお、情報処理制御部２０は、（１）第一本体１００が第二本体２００に対して左または右のいずれに回転するか、（２）第一本体１００が第二本体２００に対して０°（携帯電話１を閉じた場合）または１８０°（携帯電話１を開いた場合）のいずれに位置するか、によって動作が異なるので説明する。
【００３４】
情報処理制御部２０は、
（ａ）携帯電話１を開いた場合、かつ、第一本体１００が第二本体２００に対して左に回転した場合は、入力電話番号表示指示部３０ｂに電話番号の表示を指示させる、
（ｂ）携帯電話１を開いた場合、かつ、第一本体１００が第二本体２００に対して右に回転した場合は、メール通信部３０ａに電子メールの送受信を行なわせる、
（ｃ）携帯電話１を閉じた場合、かつ、第一本体１００が第二本体２００に対して左に回転した場合は、待ち受け表示画面表示指示部３０ｃに待ち受け表示画面の表示を指示させる、
（ｄ）携帯電話１を閉じた場合、かつ、第一本体１００が第二本体２００に対して右に回転した場合は、カメラ部３０ｄを作動させる。
【００３５】
なお、上記のような、携帯電話１の開閉および左右への回転への情報処理の割り当ては、デフォルトの設定である。利用者が、割り当てを変更することができるようにしてもよい。
【００３６】
次に、第一の実施形態の動作を図６のフローチャートを参照して説明する。
【００３７】
まず、回転検出部１２が磁気センサ３１２ａ、３１２ｂから回転板３２０が回転をし始めた旨の信号を受ける（Ｓ１０、Ｙｅｓ）。この信号を受けるまでは、待機する（Ｓ１０、Ｎｏ）。回転検出部１２は、磁気センサ３１２ａ、３１２ｂから回転板３２０が回転を完了した旨の信号を受ける（Ｓ１２、Ｙｅｓ）。すなわち、第一本体１００が第二本体２００に対して０°（携帯電話１を閉じた場合）または１８０°（携帯電話１を開いた場合）のいずれかに位置することを検出する。回転を完了した旨の信号を受けるまでは、待機する（Ｓ１２、Ｎｏ）。
【００３８】
回転検出部１２は、（１）第一本体１００が第二本体２００に対して左または右のいずれに回転するか、（２）第一本体１００が第二本体２００に対して０°（携帯電話１を閉じた場合）または１８０°（携帯電話１を開いた場合）のいずれに位置するか、を示す信号を出力する。
【００３９】
情報処理制御部２０は、回転検出部１２から信号を受けると、それに基づき、情報処理部３０に情報処理を遂行させる。
【００４０】
すなわち、
（ａ）携帯電話１を開いた場合（Ｓ１４、開）、かつ、第一本体１００が第二本体２００に対して左に回転した場合（Ｓ２０、左）は、入力電話番号表示指示部３０ｂに電話番号の表示を指示させる（Ｓ２２）、
（ｂ）携帯電話１を開いた場合（Ｓ１４、開）、かつ、第一本体１００が第二本体２００に対して右に回転した場合（Ｓ２０、右）は、メール通信部３０ａに電子メールの送受信を行なわせる（Ｓ２４）、
（ｃ）携帯電話１を閉じた場合（Ｓ１４、閉）、かつ、第一本体１００が第二本体２００に対して左に回転した場合（Ｓ３０、左）は、待ち受け表示画面表示指示部３０ｃに待ち受け表示画面の表示を指示させる（Ｓ３２）、
（ｄ）携帯電話１を閉じた場合（Ｓ１４、閉）、かつ、第一本体１００が第二本体２００に対して右に回転した場合（Ｓ３０、右）は、カメラ部３０ｄを作動させる（Ｓ３４）。
【００４１】
第一の実施形態によれば、各本体間の回転方向に応じて、実行するアプリケーションプログラムを変えることができる。なお、回転検出部１２が回転を完了した旨の信号を受けるまでは、情報処理（Ｓ２２、Ｓ２４、Ｓ３２、Ｓ３４）は行なわれないので、第一本体１００の第二本体２００に対する角度が、０°から１８０°へ、または１８０°から０°へ変化した後でなければ、情報処理の内容が変化しないことになる。
【００４２】
第二の実施形態
第二の実施形態は、第一の実施形態における磁気センサの配置、および、回転板３２０における磁性を帯びたエリアが異なる。さらに、情報処理の内容も異なる。
【００４３】
図７は、第二の実施形態にかかる携帯電話（携帯通信端末）１を開いた場合の平面図である。図８は、第二の実施形態にかかる携帯電話（携帯通信端末）１を閉じた場合の平面図である。図９は、第二の実施形態にかかる携帯電話（携帯通信端末）１を閉じた場合の正面図である。なお、第一の実施形態と同一の部分は、同一の番号を付して説明を省略する。
【００４４】
第二の実施形態にかかる携帯電話１は、第一本体１００、第二本体２００、回転軸（接続手段）３１０、磁気センサ３１４ａ、３１４ｂ、回転板３２０を備える。なお、回転板３２０は、着磁エリア（領域）３２０ａ、３２０ｂ、３２０ｃ、３２０ｄを有しているが、図７〜９においては図示の便宜上省略する。
【００４５】
磁気センサ３１４ａ、３１４ｂは、回転板３２０の回転を検出するための磁気センサである。図９を参照して、磁気センサ３１４ａ、３１４ｂは、第二本体２００に固定されている。磁気センサ３１４ａと回転軸３１０とをを結ぶ線分と、磁気センサ３１４ｂと回転軸３１０とをを結ぶ線分とのなす角度は１８０°未満（第二の実施形態においては、１６５°）である。回転板３２０は、第一本体１００に固定されている。第一本体１００が回転軸３１０を中心に回転すれば、回転板３２０もまた回転軸３１０を中心に回転する。回転板３２０の表面には磁性を帯びたエリア（領域）があり、回転板３２０の回転により、磁気センサ３１４ａ、３１４ｂが検出する回転板３２０の磁気が変化する。これにより、回転板３２０の回転を検出できる。
【００４６】
図１０は、第二の実施形態における回転軸（接続手段）３１０付近の拡大平面図である。なお、図１０は、携帯電話１が閉じている状態を想定している。回転板３２０は、着磁エリア３２０ａ、３２０ｂ、３２０ｃ、３２０ｄを有する。ここで、回転軸３１０から第一本体１００を見た方向を０°、第二本体２００を見た方向を１８０°とする。
【００４７】
磁気センサ３１４ａは０°方向に、磁気センサ３１４ｂは１６５°方向に位置する。着磁エリア３２０ａ、３２０ｂ、３２０ｃ、３２０ｄは、磁性を帯びている。よって、磁気センサ３１４ａ、３１４ｂに、着磁エリア３２０ａ、３２０ｂ、３２０ｃ、３２０ｄが近づくと磁気が検出され、遠ざかると磁気が検出されない。
【００４８】
着磁エリア３２０ａ、３２０ｂ、３２０ｃ、３２０ｄは、回転軸３１０から見て、所定の幅Δｗ＝３０°を有している。なお、携帯電話１が閉じている状態で、回転軸３１０から見て、着磁エリア３２０ａは３０°〜６０°、着磁エリア３２０ｂは９０°〜１２０°、着磁エリア３２０ｃは２１０°〜２４０°、着磁エリア３２０ｄは２７０°〜３００°に位置している。
【００４９】
ここで、第一本体１００を左回りに回転させて、携帯電話１を閉じている状態から開こうとした場合の状態を図１１に示す。第一本体１００を左回りに回転させると、回転板３２０もまた左に回る。ここで、着磁エリア３２０ａの端が磁気センサ３１４ａの中心に到達するまでに、回転板３２０を３０°回転させればいい。一方、着磁エリア３２０ｃの端が磁気センサ３１４ｂの中心に到達するまでに、回転板３２０を４５°回転させなければならない。よって、磁気センサ３１４ａが磁気を検出するタイミングが、磁気センサ３１４ｂが磁気を検出するタイミングがよりも早いことになる。
【００５０】
よって、磁気センサ３１４ａ、３１４ｂが磁気を検出したときにHighの信号を出力するとしたときの、回転板３２０の回転角度に対する磁気センサ３１４ａ、３１４ｂの出力信号の状態は、図１２のようになる。
【００５１】
また、第一本体１００を右回りに回転させて、携帯電話１を閉じている状態から開こうとした場合の状態を図１３に示す。第一本体１００を右回りに回転させると、回転板３２０もまた右に回る。ここで、着磁エリア３２０ｄの端が磁気センサ３１４ａの中心に到達するまでに、回転板３２０を９０°回転させなければならない。一方、着磁エリア３２０ｂの端が磁気センサ３１４ｂの中心に到達するまでに、回転板３２０を７５°回転させればいい。よって、磁気センサ３１４ａが磁気を検出するタイミングが、磁気センサ３１４ｂが磁気を検出するタイミングがよりも遅いことになる。
【００５２】
よって、磁気センサ３１４ａ、３１４ｂが磁気を検出したときにHighの信号を出力するとしたときの、回転板３２０の回転角度に対する磁気センサ３１４ａ、３１４ｂの出力信号の状態は、図１４のようになる。
【００５３】
このように、第一本体１００を右回りに回転させた場合と、左回りに回転させた場合とでは、磁気センサ３１４ａの出力する信号の位相と、磁気センサ３１４ｂの出力する信号の位相とが異なるため、第一本体１００の回転方向（右回り、左回り）を検出できる。
【００５４】
図１５は、第二の実施形態にかかる情報処理部３０の構成を示す機能ブロック図である。情報処理部３０は、待ち受け表示画面表示指示部３０ｃ、メニュー表示部３０ｅを有する。なお、情報処理部３０は、入力用キー２１０による情報の入力を受け、情報処理の結果をディスプレイ１２０に表示させる。
【００５５】
待ち受け表示画面表示指示部３０ｃは、待ち受け表示画面をディスプレイ１２０に表示させる。
【００５６】
メニュー表示部３０ｅは、メニュー画面をディスプレイ１２０に表示させる。メニュー画面は、選択肢を提示する画面である。かかる選択肢を選択することにより、携帯電話１に色々な情報処理を行なわせることができる。
【００５７】
次に、第二の実施形態の動作を説明する。
【００５８】
図１６は、第二の実施形態において、待ち受け表示画面を制御する場合の動作を示すフローチャートである。図１７は、第二の実施形態において、待ち受け表示画面を制御する場合の、待ち受け表示画面の遷移を示す図である。
【００５９】
まず、図１７の左部分に示すように携帯電話１が閉じている。このとき、待ち受け表示画面はタイプＡであるとする（Ｓ４０）。
【００６０】
次に、回転検出部１２が磁気センサ３１４ａ、３１４ｂから回転板３２０が回転をし始めた旨の信号を受ける（Ｓ４２、Ｙｅｓ）。この信号を受けるまでは、待機する（Ｓ４２、Ｎｏ）。回転検出部１２は、磁気センサ３１４ａ、３１４ｂから回転板３２０が回転を完了した旨の信号を受ける（Ｓ４４、Ｙｅｓ）。すなわち、第一本体１００が第二本体２００に対して１８０°（携帯電話１を開いた場合）に位置することを検出する。回転を完了した旨の信号を受けるまでは、待機する（Ｓ４４、Ｎｏ）。
【００６１】
回転検出部１２は、第一本体１００が第二本体２００に対して左または右のいずれに回転するかを示す信号を出力する。
【００６２】
情報処理制御部２０は、回転検出部１２から信号を受けると、それに基づき、情報処理部３０に情報処理を遂行させる。
【００６３】
すなわち（図１７の右部分を参照）、
（ａ）第一本体１００が第二本体２００に対して左に回転した場合（Ｓ４６、左）は、待ち受け表示画面表示指示部３０ｃに待ち受け表示画面（タイプＣ）の表示を指示させる（Ｓ４８）、
（ｂ）第一本体１００が第二本体２００に対して右に回転した場合（Ｓ４６、右）は、待ち受け表示画面表示指示部３０ｃに待ち受け表示画面（タイプＢ）の表示を指示させる（Ｓ５０）。
【００６４】
なお、図１７の中央部分を参照して、第一本体１００が第二本体２００に対して１８０°に位置するまでは、待ち受け表示画面はタイプＡのままである。
【００６５】
図１８は、第二の実施形態において、メニュー画面を制御する場合の動作を示すフローチャートである。図１９は、第二の実施形態において、メニュー画面を制御する場合の、画面の遷移を示す図である。
【００６６】
まず、図１７の左部分に示すように携帯電話１が閉じている。このとき、待ち受け表示画面はタイプＡであるとする（Ｓ４０）。
【００６７】
次に、回転検出部１２が磁気センサ３１４ａ、３１４ｂから回転板３２０が回転をし始めた旨の信号を受ける（Ｓ４２、Ｙｅｓ）。この信号を受けるまでは、待機する（Ｓ４２、Ｎｏ）。回転検出部１２は、磁気センサ３１４ａ、３１４ｂから回転板３２０が回転を完了した旨の信号を受ける（Ｓ４４、Ｙｅｓ）。すなわち、第一本体１００が第二本体２００に対して１８０°（携帯電話１を開いた場合）に位置することを検出する。回転を完了した旨の信号を受けるまでは、待機する（Ｓ４４、Ｎｏ）。
【００６８】
回転検出部１２は、第一本体１００が第二本体２００に対して左または右のいずれに回転するかを示す信号を出力する。
【００６９】
そして、携帯電話１に何らかの操作（例えば、入力用キー２１０によるデータの入力）が行なわれる（Ｓ４５）。
【００７０】
情報処理制御部２０は、回転検出部１２から信号を受けると、それに基づき、情報処理部３０に情報処理を遂行させる。
【００７１】
すなわち（図１９の右部分を参照）、
（ａ）第一本体１００が第二本体２００に対して左に回転した場合（Ｓ５２、左）は、待ち受け表示画面表示指示部３０ｃにメニュー画面（タイプＱ）の表示を指示させる（Ｓ５４）、
（ｂ）第一本体１００が第二本体２００に対して右に回転した場合（Ｓ５２、右）は、待ち受け表示画面表示指示部３０ｃにメニュー画面（タイプＰ）の表示を指示させる（Ｓ５６）。
【００７２】
なお、図１９の中央部分を参照して、操作がなされるまでは、待ち受け表示画面（タイプＡ）が表示されるままである。
【００７３】
第二の実施形態によれば、各本体間の回転方向に応じて、実行するアプリケーションプログラムを変えることができる。
【００７４】
第三の実施形態
第三の実施形態は、第二の実施形態と、磁気センサの配置および回転板３２０における磁性を帯びたエリアが共通するが、第一本体１００を第二本体２００に対して、左または右に少し回転させて元に戻すことにより、携帯電話１の受信音量を調節する点が異なる。
【００７５】
第三の実施形態にかかる携帯電話１は、第一本体１００、第二本体２００、回転軸（接続手段）３１０、磁気センサ３１４ａ、３１４ｂ、回転板３２０を備える。なお、回転板３２０は、着磁エリア３２０ａ、３２０ｂ、３２０ｃ、３２０ｄを有している。これらは、第二の実施形態と同様であり、説明を省略する。
【００７６】
図２０は、第三の実施形態にかかる情報処理部３０の構成を示す機能ブロック図である。情報処理部３０は、音量調節部３０ｆを有する。なお、情報処理部３０は、入力用キー２１０による情報の入力を受け、情報処理の結果をディスプレイ１２０に表示させる。
【００７７】
音量調節部３０ｆは、受信した電話をスピーカ２２０に再生させる音量を調節する。なお、スピーカ２２０は、受信した電話を音声に変換して出力し、携帯電話１の利用者に聞かせるためのものである。
【００７８】
図２１および図２２を参照して、情報処理部３０による情報処理の遂行を説明する。
【００７９】
まず、第一本体１００が第二本体２００に対して１８０°の位置（開いた状態）であるとする。ここで、図２１に示すように、第一本体１００を第二本体２００に対して所定の角度（例えば、９０°よりも小さい角度）だけ右に回転させてから（実線矢印）、左に戻す（点線矢印）。このような動作を、情報処理制御部２０は、回転検出部１２から信号を受けることにより検出できる。すると、それに基づき、情報処理部３０は、音量調節部３０ｆに、受信した電話をスピーカ２２０に再生させる音量を増大させる。
【００８０】
一方、図２２に示すように、第一本体１００を第二本体２００に対して所定の角度（例えば、９０°よりも小さい角度）だけ左に回転させてから（実線矢印）、右に戻す（点線矢印）。このような動作を、情報処理制御部２０は、回転検出部１２から信号を受けることにより検出できる。すると、それに基づき、情報処理部３０は、音量調節部３０ｆに、受信した電話をスピーカ２２０に再生させる音量を減少させる。
【００８１】
第三の実施形態によれば、第一本体１００を第二本体２００に対して、左または右に少し回転させて元に戻すことにより、携帯電話１の受信音量を調節できる。
【００８２】
第四の実施形態
第四の実施形態は、第一の実施形態とは、回転の検出の機構が異なる。なお、その他の部分は構成が第一の実施形態と同様なので説明を省略する。
【００８３】
図２３は、第四の実施形態における回転完了（第一本体１００が第二本体２００に対して１８０°（携帯電話１を開いた場合）になったこと）を検出するための回転検出機構を説明するための図である。
【００８４】
第一本体１００は永久磁石１３０を有する。なお、永久磁石１３０は、携帯電話１を開いた場合、リレー２３０に接近するような位置に配置されている。
【００８５】
第二本体２００はリレー２３０、電源２４０、接地抵抗２４２を有する。リレー２３０は、電源２４０と、一端が接地されている接地抵抗２４２の他端とを接続する。リレー２３０がONになると、信号Ｓ（リレー２３０と接地抵抗２４２との間の電位に基づく信号）がHighになる。リレー２３０がOFFになると、信号ＳがLowになる。
【００８６】
なお、携帯電話１を開いた場合は、永久磁石１３０がリレー２３０に接近すると、リレー２３０がONになる。また、それ以外の場合は（例えば、携帯電話１を閉じた状態、開きかけた状態）、永久磁石１３０がリレー２３０から遠ざかると、リレー２３０がOFFになる。
【００８７】
よって、携帯電話１を開いた場合、信号ＳがLowからHighになるので、携帯電話１を開いたことが検知できる。信号Ｓは、回転検出部１２に送られる。
【００８８】
なお、永久磁石１３０を、携帯電話１を閉じた場合に、リレー２３０に接近するような位置に配置すれば、携帯電話１を閉じたことが検知できる。
【００８９】
図２４は、第四の実施形態における回転軸（接続手段）３１０付近の拡大平面図である。なお、図２４は、携帯電話１が閉じている状態を想定している。携帯電話１は、回転軸３１０（第一の実施形態と同様）、回転板３３０、第一突起部３３２、第一導電部３３４、第二突起部３４２、第二導電部３４４を有する。
【００９０】
回転板３３０は、第二本体２００に固定されている。第一本体１００が回転軸３１０を中心に回転すれば、回転板３３０もまた回転軸３１０を中心に回転する。
【００９１】
第一突起部３３２は、回転板３３０の１８０°の位置に取りつけられている。
【００９２】
第一導電部３３４は、第一突起部３３２の右側に取りつけられ、電気を通すものである。例えば、カーボンで構成される。なお、第一導電部３３４は、接地されている。
【００９３】
第二突起部３４２は、回転板３３０の０°の位置の近傍に配置されているが、回転板３３０から離れている。
【００９４】
第二導電部３４４は、第二突起部３４２の右側に取りつけられ、電気を通すものである。例えば、カーボンで構成される。なお、第二導電部３４４は、図示省略した電源に接続されている。また、第二導電部３４４の電位に基づく信号が回転検出部１２に送られる。図２４に示す状態では、第二導電部３４４に電源が接続されているため、第二導電部３４４の電位に基づく信号はHighである。
【００９５】
図２５は、第一本体１００が第二本体２００に対して左回りに回転し、携帯電話１が開かれたときの回転軸３１０付近の拡大平面図である。第一導電部３３４と第二導電部３４４とが接続する。これにより、第二導電部３４４の電位はHighからLowになる。
【００９６】
図２６は、第一本体１００が第二本体２００に対して右回りに回転し、携帯電話１が開かれたときの回転軸３１０付近の拡大平面図である。第一突起部３３２と第二突起部３４２とが接触するものの、第一導電部３３４と第二導電部３４４とは接続しない。これにより、第二導電部３４４の電位はHighのままとなる。
【００９７】
このように、第一本体１００が第二本体２００に対して左または右のいずれに回転したかによって、異なる信号（LowまたはHigh）が出力されるので、左または右のいずれに回転したかが検出できる。
【００９８】
なお、第一突起部３３２、第一導電部３３４、第二突起部３４２および第二導電部３４４の位置を適宜設定すれば、携帯電話１が閉じた場合第一本体１００が第二本体２００に対して閉じた場合に、第一本体１００が第二本体２００に対して左または右のいずれに回転したかによって、異なる信号（LowまたはHigh）が出力されるようにすることも可能である。
【００９９】
なお、（１）第一本体１００が第二本体２００に対して左または右のいずれに回転するか、（２）第一本体１００が第二本体２００に対して０°（携帯電話１を閉じた場合）または１８０°（携帯電話１を開いた場合）のいずれに位置するか、によって行なう情報処理が異なるが、これは第一の実施形態と同様なので説明を省略する。
【０１００】
第四の実施形態によれば、各本体間の回転方向に応じて、実行するアプリケーションプログラムを変えることができる。
【０１０１】
なお、上記の実施形態は、以下のようにして実現できる。ＣＰＵ、ハードディスク、フラッシュメモリ、メディア（フロッピー（登録商標）ディスク、ＣＤ−ＲＯＭ、メモリスティックなど）読み取り装置を備えたコンピュータのメディア読み取り装置に、上記の各部分（例えば、情報処理制御部２０）を実現するプログラムを記録したメディアを読み取らせて、ハードディスク、フラッシュメモリなどにインストールする。このような方法でも、上記の機能を実現できる。
【図面の簡単な説明】
【０１０２】
【図１】第一の実施形態にかかる携帯電話（携帯通信端末）１を開いた場合の平面図である。
【０１０３】
【図２】第一の実施形態にかかる携帯電話（携帯通信端末）１を閉じた場合の平面図である。
【０１０４】
【図３】第一の実施形態にかかる携帯電話（携帯通信端末）１を閉じた場合の正面図である。
【０１０５】
【図４】第一の実施形態にかかる携帯電話１の構成を示す機能ブロック図である。
【０１０６】
【図５】第一の実施形態にかかる情報処理部３０の構成を示す機能ブロック図である。
【０１０７】
【図６】第一の実施形態の動作を示すフローチャートである。
【０１０８】
【図７】第二の実施形態にかかる携帯電話（携帯通信端末）１を開いた場合の平面図である。
【０１０９】
【図８】第二の実施形態にかかる携帯電話（携帯通信端末）１を閉じた場合の平面図である。
【０１１０】
【図９】第二の実施形態にかかる携帯電話（携帯通信端末）１を閉じた場合の正面図である。
【０１１１】
【図１０】第二の実施形態における回転軸（接続手段）３１０付近の拡大平面図である。
【０１１２】
【図１１】第二の実施形態における、第一本体１００を左回りに回転させて、携帯電話１を閉じている状態から開こうとした場合の状態を示す図である。
【０１１３】
【図１２】第二の実施形態における、回転板３２０の回転角度に対する磁気センサ３１４ａ、３１４ｂの出力信号の状態を示す図である。
【０１１４】
【図１３】第二の実施形態における、第一本体１００を右回りに回転させて、携帯電話１を閉じている状態から開こうとした場合の状態を示す図である。
【０１１５】
【図１４】第二の実施形態における、回転板３２０の回転角度に対する磁気センサ３１４ａ、３１４ｂの出力信号の状態を示す図である。
【０１１６】
【図１５】第二の実施形態にかかる情報処理部３０の構成を示す機能ブロック図である。
【０１１７】
【図１６】第二の実施形態において、待ち受け表示画面を制御する場合の動作を示すフローチャートである。
【０１１８】
【図１７】第二の実施形態において、待ち受け表示画面を制御する場合の、待ち受け表示画面の遷移を示す図である。
【０１１９】
【図１８】第二の実施形態において、メニュー画面を制御する場合の動作を示すフローチャートである。
【０１２０】
【図１９】第二の実施形態において、メニュー画面を制御する場合の、画面の遷移を示す図である。
【０１２１】
【図２０】第三の実施形態にかかる情報処理部３０の構成を示す機能ブロック図である。
【０１２２】
【図２１】第三の実施形態における情報処理部３０による情報処理の遂行を説明するための図である。
【０１２３】
【図２２】第三の実施形態における情報処理部３０による情報処理の遂行を説明するための図である。
【０１２４】
【図２３】第四の実施形態における回転完了（第一本体１００が第二本体２００に対して１８０°（携帯電話１を開いた場合）になったこと）を検出するための回転検出機構を説明するための図である。
【０１２５】
【図２４】第四の実施形態における回転軸（接続手段）３１０付近の拡大平面図である。
【０１２６】
【図２５】第四の実施形態における第一本体１００が第二本体２００に対して左回りに回転し、携帯電話１が開かれたときの回転軸３１０付近の拡大平面図である。
【０１２７】
【図２６】第四の実施形態における第一本体１００が第二本体２００に対して右回りに回転し、携帯電話１が開かれたときの回転軸３１０付近の拡大平面図である。
【符号の説明】
【０１２８】
１  携帯電話（携帯通信端末）
１００  第一本体
１２０  ディスプレイ
１３０  永久磁石
２００  第二本体
２１０  入力用キー
２３０  リレー
２４０  電源
２４２  接地抵抗
３１０  回転軸（接続手段）
３１２ａ、３１２ｂ  磁気センサ
３１４ａ、３１４ｂ  磁気センサ
３２０  回転板
３２０ａ、３２０ｂ、３２０ｃ、３２０ｄ  着磁エリア
３３０  回転板
３３２  第一突起部
３３４  第一導電部
３４２  第二突起部
３４４  第二導電部
１２  回転検出部
２０  情報処理制御部
３０  情報処理部
【図１】
2005236684.tif 000003
【図２】
2005236684.tif 000004
【図３】
2005236684.tif 000005
【図４】
2005236684.tif 000006
【図５】
2005236684.tif 000007
【図６】
2005236684.tif 000008
【図７】
2005236684.tif 000009
【図８】
2005236684.tif 000010
【図９】
2005236684.tif 000011
【図１０】
2005236684.tif 000012
【図１１】
2005236684.tif 000013
【図１２】
2005236684.tif 000014
【図１３】
2005236684.tif 000015
【図１４】
2005236684.tif 000016
【図１５】
2005236684.tif 000017
【図１６】
2005236684.tif 000018
【図１７】
2005236684.tif 000019
【図１８】
2005236684.tif 000020
【図１９】
2005236684.tif 000021
【図２０】
2005236684.tif 000022
【図２１】
2005236684.tif 000023
【図２２】
2005236684.tif 000024
【図２３】
2005236684.tif 000025
【図２４】
2005236684.tif 000026
【図２５】
2005236684.tif 000027
【図２６】
2005236684.tif 000028